(57)【要約】      （修正有）【課題】  楽譜用紙全体に対して、楽譜を構成する個々の音符に、演奏あるいは発声のための強弱表示を施し、明瞭で容易に認識可能な大小音符楽譜紙を提供する。【解決手段】  楽譜用紙Ｐに音符１が表記された楽譜Ｍであって、楽譜に表記される音符は、演奏時の強い音に対応する大小を施した大小音符Ｑによって印刷されている。また、音符の符頭２に大小を施して大小音符楽譜紙を構成する。【選択図】図１
2005297390.tif 000002
【特許請求の範囲】
【請求項１】
楽譜用紙（Ｐ）に、演奏時の強い音に対応する大の音符（１）と、前記演奏時の弱い音に対応する小の音符とが印刷されたことを特徴とする大小音符楽譜紙。
【請求項２】
前記大の音符は符頭（２）が大であり、前記小の音符は前記符頭が小であることを特徴とする請求項１記載の大小音符楽譜紙。
【発明の詳細な説明】
【技術分野】
【０００１】
本発明は大小音符楽譜紙に係り、特に各音符に直接強弱表現を付与した大小音符楽譜紙に関する。
【背景技術】
【０００２】
従来、図５（ａ）、（ｂ）に示すように、楽曲を主として紙面上に記した楽譜Ｍ’において、楽譜用紙Ｐ’に表記される音符１０は、符頭２０と、符頭２０に付与される付点２１、符幹２２および符尾２３から構成されている。
【０００３】
音の高低は符頭２０の位置によって表され、音の長短は、付点２１、符幹２２および符尾２３の有無あるいは符頭２０が中塗り２４か中抜き２５か等によって表されている。
【０００４】
演奏あるいは発声時には、音の高低および音の長短の他にも、ｆ（フォルテ：強く）５１およびｐ（ピアノ：弱く）５２、  ＜  （クレシェンド：次第に強く）５３および  ＞  （デクレシェンド：次第に弱く）５４等の強弱記号の組み合せや休止符５５等を同時に読取り、演奏するあるいは歌う音楽に、メロディと情感豊かな表現を与えている。
【０００５】
個々の音符１０は、符頭２０の位置によって音の高低が表現され、符頭２０が中塗りか中抜きか、付点２１や符幹２２の有無、あるいは符幹２２に付される符尾２３の有無によってその音の長短が表現されるが、強弱に関しては、上述の強弱記号  ｆ５１、ｐ５２、＜５３および＞５４とその組合せによって、複数の音節にわたって表現されるものであり、強勢記号として符頭２０上部にマルカート５６（図５（ｂ））を付して、個々の音符１０にアクセントを付ける指示とする例はあるが、楽譜用紙Ｐ’全体に対して、楽譜Ｍ’を構成する個々の音符１０に、演奏あるいは発声のための強弱表示を付与することはできなかった。このため、望ましい強弱で表現すべく、演奏者あるいは歌う者は、指導者の細かい指示を記憶しなければならないという難点があった。
【０００６】
これに対して本願出願人は、各音符に濃淡を付与し、強弱指示を可能とした濃淡音符楽譜を提案した（例えば、特許文献１参照）。
【０００７】
図４に示すように、画像形成時に量子化された濃度値で個々の音符の強弱を表記した濃淡音符楽譜、あるいは網点の階調による印刷濃度で個々の音符の強弱を表記した濃淡音符楽譜において、その濃淡３は、やや強く大きい音３５、やや弱く小さい音３３、弱く小さい音３２のように表現されている。
【０００８】
【特許文献１】登録実用新案第３０１７６９６号
【発明の開示】
【発明が解決しようとする課題】
【０００９】
しかしながら、中塗り２４の符頭２では楕円形の符頭２全体に対して濃淡３が付されて見やすいが、中抜き２５の符頭２では楕円形の外形線に対して濃淡３が付されるため、濃淡の判別がむづかしいという難点がある。
【００１０】
また、印刷の精度、楽譜にあたる光線の加減や楽譜と演奏者との位置関係によっては、各音符に付与された濃淡を演奏時にすばやく認識するのに困難を伴うことがあるという難点がある。
【００１１】
本発明は、これらの難点を解消すべく案出されたもので、個々の音符に表現すべき強弱指示を明瞭に表示可能な大小音符楽譜紙を提供せんとするものである。
【課題を解決するための手段】
【００１２】
このような目的を達成するために本発明の大小音符楽譜紙は、楽譜用紙に、演奏時の強い音に対応する大の音符と、演奏時の弱い音に対応する小の音符とが印刷されたものである。
【００１３】
また、本発明の大小音符楽譜紙は、大の音符は符頭が大であり、小の音符は符頭が小である。
【発明の効果】
【００１４】
本発明の大小音符楽譜紙によれば、楽譜に表記される音符は、演奏時の強弱に対応する大小を符頭に施した大小音符によって印刷されるので、個々の音符の強弱が瞬時に判断でき、音楽教育および演奏表現に有益である。
【発明を実施するための最良の形態】
【００１５】
以下、本発明の大小音符楽譜紙の好ましい実施例を図面に基づき説明する。
【００１６】
図１（ａ）に示すように、楽曲を主として紙面上に記す楽譜Ｍにおいて、楽譜用紙Ｐに表記される音符１は、同図（ｂ）に示すように、音の高低および音の長短を示す符頭２、符頭２に付与される付点２１、符幹２２および符尾２３から構成され、付点２１、符幹２２および符尾２３の有無あるいは符頭２が中塗り２４か中抜き２５か等によって音の長短が表わされている。
【００１７】
本発明の大小音符楽譜紙は、主として紙面上に記す楽譜Ｍにおいて、楽譜用紙Ｐに表記される音符１は、演奏時の強弱に対応する大小９を施した大小音符Ｑによって印刷されている。更に、その大小は音符１の符頭２に付与される。
【００１８】
図１（ａ）は、この方法によって楽譜用紙Ｐに個々の音符の強弱を符頭２の大きさによるレベルで表記した楽譜Ｍであって、大小音符Ｑの大小９はやや強く大きい音９２、やや弱く小さい音９３、弱く小さい音９４のように表記されている。
【００１９】
また、楽譜用紙Ｐへの楽譜Ｍの印刷にあたり、音符１に対する大小を、図２、図３に示すように、符頭２の大きさを４０％から１０％間隔に１３０％までの１０段階に分け、非常に弱く小さな音を大きさ４０％の大きさ９40で印刷し、音が強く大きくなるに従って大きさ９50、９60、９70、９80、９90、９100、９110、９120、９130まで大小９をつけて印刷しても好適である。
【００２０】
図３に示すように、符幹および符尾のない符頭２だけの音符でも、符頭２の大小９40、９50、９60、９70、９80、９90、９100、９110、９120、９130によって強弱が明瞭に表現することができる。
【００２１】
本発明の大小音符楽譜紙は、演奏時の強弱に対応する大小９を施した大小音符Ｑによって印刷されるとともに、音の長短を表記する音符１の付点２１や、複数の音節にわたって表現される強弱記号（ｆ５１、ｐ５２、＜５３、＞５４）およびその組合せ記号や休止符５５等も合せて印刷されてもよい。
【００２２】
このように、本発明の大小音符楽譜紙は、楽譜用紙に音符が表記された楽譜であって、楽譜に表記される音符は、演奏時の強弱に対応する大小を施した大小音符によって印刷されるもので、音符の符頭に大小を施したので、個々の音符の強弱が瞬時に判断でき、音楽教育および演奏表現に有益である。
【図面の簡単な説明】
【００２３】
【図１】（ａ）は本発明における大小音符楽譜紙で表記された楽譜、（ｂ）は音符の説明である。
【図２】本発明における大小音符楽譜紙の実施例を示す楽譜である。
【図３】本発明における大小音符楽譜紙の他の実施例を示す楽譜である。
【図４】濃淡音符楽譜を説明する図である。
【図５】従来の楽譜である。
【符号の説明】
【００２４】
１…音符
２…符頭
２１…付点
２２…符幹
２３…符尾（鈎）
２４…（符頭）中塗り
２５…（符頭）中抜き
９（９40、９50、９60、９70、９80、９90、９100、９110、９120、９130、９２、９３、９５）…大小
５１、５２、５３、５４…強弱記号
Ｍ…楽譜
Ｑ…大小音符
Ｐ…楽譜用紙
【図１】
2005297390.tif 000003
【図２】
2005297390.tif 000004
【図３】
2005297390.tif 000005
【図４】
2005297390.tif 000006
【図５】
2005297390.tif 000007